(57)【要約】【課題】  チャンネル変更時間を短縮させたＤＭＢ受信装置を提供する。【解決手段】  チャンネルに独立的なＰＮコード（Ｐｓｅｕｄｏ  ｒａｎｄｏｍ  Ｎｏｉｓｅ  Ｃｏｄｅ）の処理はビットデインターリービング（Ｂｉｔ  Ｄｅｉｎｔｅｒｌｅａｖｉｎｇ）実行前に実行し、順方向リンクでチャンネルを区分する識別字機能を担当するウォルシュコード（Ｗａｌｓｈ  Ｃｏｄｅ）の処理はビットデインターリービング（Ｂｉｔ  Ｄｅｉｎｔｅｒｌｅａｖｉｎｇ）を実行した後に行うように具現することにより、ビットデインターリービング（Ｂｉｔ  Ｄｅｉｎｔｅｒｌｅａｖｉｎｇ）の実行時のビットレート（Ｂｉｔ  Ｒａｔｅ）を低めてＤＭＢ放送チャンネル変更時間を短縮させる。【選択図】  図２
2007166586.tif 000002
【特許請求の範囲】
【請求項１】
チャンネルに独立的なＰＮコード（Ｐｓｅｕｄｏ  ｒａｎｄｏｍ  Ｎｏｉｓｅ  Ｃｏｄｅ）の処理はビットデインターリービング（Ｂｉｔ  Ｄｅｉｎｔｅｒｌｅａｖｉｎｇ）実行前に実行し、順方向リンクでチャンネルを区分する識別字機能を担当するウォルシュコード（Ｗａｌｓｈ  Ｃｏｄｅ）の処理はビットデインターリービング（Ｂｉｔ  Ｄｅｉｎｔｅｒｌｅａｖｉｎｇ）を実行した後に実行することを特徴とする、チャンネル変更時間を短縮させたＤＭＢ受信装置。
【請求項２】
アンテナを通じて受信したＤＭＢ（Ｄｉｇｉｔａｌ  Ｍｕｌｔｉｍｅｄｉａ  Ｂｒｏａｄｃａｔｉｎｇ）周波数帯域の信号を基底帯域（Ｂａｓｅｂａｎｄ）信号に変換するチューナー（Ｔｕｎｎｅｒ）と；
前記チューナーによって基底帯域信号に変換された、拡散変造（Ｍｏｄｕｌａｔｉｏｎ）された信号を復調（Ｄｅｍｏｄｕｌａｔｉｏｎ）し、チャンネルに独立的なＰＮコード（Ｐｓｅｕｄｏ  ｒａｎｄｏｍ  Ｎｏｉｓｅ  Ｃｏｄｅ）を前記復調された信号に掛けるＣＤＭ復調器（Ｄｅｍｏｄｕｌａｔｏｒ）と；
前記ＣＤＭ復調器によってＰＮコードが掛けられた信号に対するビットデインターリービング（Ｂｉｔ  Ｄｅｉｎｔｅｒｌｅａｖｉｎｇ）を実行した後、この信号に、順方向リンクでチャンネルを区分する識別字機能を担当するウォルシュコード（Ｗａｌｓｈ  Ｃｏｄｅ）を掛けてから積分して、選択された放送チャンネルに対するチャンネルデータを抽出し、抽出されたチャンネルデータに対する前進型誤信号訂正（ＦＥＣ：Ｆｏｒｗａｒｄ  Ｅｒｒｏｒ  Ｃｏｒｒｅｃｔｉｏｎ）を実行するチャンネル復号器（Ｃｈａｎｎｅｌ  Ｄｅｃｏｄｅｒ）と；
前記チャンネル復号器によって前進型誤信号訂正された放送チャンネルデータに対する映像復号化を行う映像復号器（Ｐｉｃｔｕｒｅ  Ｄｅｃｏｄｅｒ）と；
を含んでなることを特徴とする、請求項１に記載のチャンネル変更時間を短縮させたＤＭＢ受信装置。
【請求項３】
前記チャンネル復号器が、
前記ＣＤＭ復調器によってＰＮコードが掛けられた信号に対するビットデインターリービング（Ｂｉｔ  Ｄｅｉｎｔｅｒｌｅａｖｉｎｇ）を実行するビットデインターリーバー（Ｂｉｔ  Ｄｅｉｎｔｅｒｌｅａｖｅｒ）と；
前記ビットデインターリーバーによってビットデインターリービング（Ｂｉｔ  Ｄｅｉｎｔｅｒｌｅａｖｉｎｇ）処理された信号に、順方向リンクでチャンネルを区分する識別字機能を担当するウォルシュコード（Ｗａｌｓｈ  Ｃｏｄｅ）を掛ける乗算器と；
前記乗算器によって処理された信号を積分して、選択された放送チャンネルに対するチャンネルデータを抽出する積分器と；
前記積分器によって抽出された放送チャンネルデータに対するビタビ復号化（Ｖｉｔｅｒｂｉ  Ｄｅｃｏｄｉｎｇ）を行うビタビ復号器（Ｖｉｔｅｒｂｉ  Ｄｅｃｏｄｅｒ）と；
前記ビタビ復号器によってビタビ復号化された放送チャンネルデータに対するバイトデインターリービング（Ｂｙｔｅ  Ｄｅｉｎｔｅｒｌｅａｖｉｎｇ）を実行するバイトデインターリーバー（Ｂｙｔｅ  Ｄｅｉｎｔｅｒｌｅａｖｅｒ）と；
前記バイトデインターリーバーによってバイトデインターリービング処理された放送チャンネルデータに対するリードソロモン復号化（Ｒｅｅｄ−Ｓｏｌｏｍｏｎ  Ｄｅｃｏｄｉｎｇ）を行うリードソロモン復号器（Ｒｅｅｄ−Ｓｏｌｏｍｏｎ  Ｄｅｃｏｄｅｒ）と；
を含むことを特徴とする、請求項２に記載のチャンネル変更時間を短縮させたＤＭＢ受信装置。
【請求項４】
前記ビットデインターリーバーが、８バイト（Ｂｙｔｅ）単位でビットデインターリービング（Ｂｉｔ  Ｄｅｉｎｔｅｒｌｅａｖｉｎｇ）を実行することを特徴とする、請求項３に記載のチャンネル変更時間を短縮させたＤＭＢ受信装置。
【請求項５】
前記ビットデインターリーバーが、ソフトウェア的に具現されることを特徴とする、請求項４に記載のチャンネル変更時間を短縮させたＤＭＢ受信装置。
【発明の詳細な説明】
【技術分野】
【０００１】
本発明はチャンネル変更時間を短縮させたＤＭＢ受信装置に係り、より詳しくはＤＭＢ放送チャンネル変更技術に関するものである。
【背景技術】
【０００２】
図１は従来のＤＭＢ受信装置の一例を示す図である。
【０００３】
通常、ＤＭＢ受信装置１００は、チューナー（Ｔｕｎｎｅｒ）１１０と、ＣＤＭ復調器（Ｄｅｍｏｄｕｌａｔｏｒ）１２０と、チャンネル復号器（Ｃｈａｎｎｅｌ  Ｄｅｃｏｄｅｒ）１３０と、映像復号器（Ｐｉｃｔｕｒｅ  Ｄｅｃｏｄｅｒ）１４０とを含んでなる。
【０００４】
チューナー１１０は、アンテナを通じて受信したＤＭＢ（Ｄｉｇｉｔａｌ  Ｍｕｌｔｉｍｅｄｉａ  Ｂｒｏａｄｃａｔｉｎｇ）周波数帯域の信号を基底帯域（Ｂａｓｅｂａｎｄ）信号に変換する。
【０００５】
前記ＣＤＭ復調器１２０は、前記チューナー１１０によって基底帯域信号に変換された拡散変造（Ｍｏｄｕｌａｔｉｏｎ）データを復調（Ｄｅｍｏｄｕｌａｔｉｏｎ）し、順方向リンクでチャンネルを区分する識別字機能を担当するウォルシュコード（Ｗａｌｓｈ  Ｃｏｄｅ）を参照して選択された放送チャンネルに対するチャンネルデータ及びパイロットチャンネルデータを抽出する。
【０００６】
前記チャンネル復号器１３０は、前記ＣＤＭ復調器１２０によって抽出された放送チャンネル及びパイロットチャンネルデータに対する前進型誤信号訂正（ＦＥＣ：Ｆｏｒｗａｒｄ  Ｅｒｒｏｒ  Ｃｏｒｒｅｃｔｉｏｎ）を実行する。
【０００７】
前記映像復号器１４０は、前記チャンネル復号器１３０によって前進型誤信号訂正された放送チャンネルデータに対する映像復号化を実行する。
【０００８】
すなわち、ＤＭＢ放送送信側で放送データをリードソロモン符号化（Ｒｅｅｄ−Ｓｏｌｏｍｏｎ  Ｃｏｄｉｎｇ）し、バイトインターリービング（Ｂｙｔｅ  Ｉｎｔｅｒｌｅａｖｉｎｇ）処理し、ビタビ符号化（Ｖｉｔｅｒｂｉ  Ｃｏｄｉｎｇ）し、ビットインターリービング（Ｂｉｔ  Ｉｎｔｅｒｌｅａｖｉｎｇ）処理して前進型誤信号訂正符号化し、この前進型誤信号訂正符号化された信号にウォルシュコード（Ｗａｌｓｈ  Ｃｏｄｅ）とＰＮコード（Ｐｓｅｕｄｏ  ｒａｎｄｏｍ  Ｎｏｉｓｅ  Ｃｏｄｅ）を掛けて拡散変造（Ｍｏｄｕｌａｔｉｏｎ）して伝送すれば、ＤＭＢ受信装置１００はアンテナを通じて受信したＤＭＢ（Ｄｉｇｉｔａｌ  Ｍｕｌｔｉｍｅｄｉａ  Ｂｒｏａｄｃａｔｉｎｇ）周波数帯域の信号を、前記チューナー１１０を通じて基底帯域（Ｂａｓｅｂａｎｄ）信号に変換し、これを前記ＣＤＭ復調器１２０を通じて復調（Ｄｅｍｏｄｕｌａｔｉｏｎ）し、順方向リンクでチャンネルを区分する識別字機能を担当するウォルシュコード（Ｗａｌｓｈ  Ｃｏｄｅ）を利用して選択された放送チャンネルに対するチャンネルデータ及びパイロットチャンネルデータを抽出することができる。
【０００９】
その後、ＤＭＢ受信装置１００が、チャンネル復号器（Ｃｈａｎｎｅｌ  Ｄｅｃｏｄｅｒ）１３０を通じて抽出された放送チャンネル及びパイロットチャンネルデータに対する前進型誤信号訂正（ＦＥＣ：Ｆｏｒｗａｒｄ  Ｅｒｒｏｒ  Ｃｏｒｒｅｃｔｉｏｎ）を実行した後、映像復号器（Ｐｉｃｔｕｒｅ  Ｄｅｃｏｄｅｒ）１４０を通じて前進型誤信号訂正された放送チャンネルデータに対する映像復号化を実行し、これを画面に表示することにより、ＤＭＢ放送がなされる。
【００１０】
ところが、従来の場合、ＣＤＭ復調器１２０で復調（Ｄｅｍｏｄｕｌａｔｉｏｎ）された放送データにＰＮコード（Ｐｓｅｕｄｏ  ｒａｎｄｏｍ  Ｎｏｉｓｅ  Ｃｏｄｅ）と順方向リンクでチャンネルを区分する識別字機能を担当するウォルシュコード（Ｗａｌｓｈ  Ｃｏｄｅ）とが掛けられて積分され、前記チャンネル復号器１３０に伝送された。そのため、前記チャンネル復号器１３０内に制御信号用パイロット（Ｐｉｌｏｔ）チャンネル、放送プログラム情報提供のためのＥＰＧ（Ｅｌｅｃｔｒｏｎｉｃ  Ｐｒｏｇｒａｍ  Ｇｕｉｄｅ）チャンネル、受信者制限のためのＣＡＳ（Ｃｏｎｄｉｔｉｏｎａｌ  Ａｃｃｅｓｓ  Ｓｙｓｔｅｍ）チャンネル、及び多数のオーディオ（Ａｕｄｉｏ）及びビデオ（Ｖｉｄｅｏ）チャンネルのデータに対する前進型誤信号訂正（ＦＥＣ：Ｆｏｒｗａｒｄ  Ｅｒｒｏｒ  Ｃｏｒｒｅｃｔｉｏｎ）をそれぞれ実行するための複数のハードウェア構成（ビットデインターリーバー、ビタビ復号器、バイトデインターリーバー、及びリードソロモン復号器）が必要であった。
【００１１】
受信したい放送チャンネルが選択されれば、制御信号用パイロット（Ｐｉｌｏｔ）チャンネル、放送プログラム情報提供のためのＥＰＧ（Ｅｌｅｃｔｒｏｎｉｃ  Ｐｒｏｇｒａｍ  Ｇｕｉｄｅ）チャンネル、受信者制限のためのＣＡＳ（Ｃｏｎｄｉｔｉｏｎａｌ  Ａｃｃｅｓｓ  Ｓｙｓｔｅｍ）チャンネル、及び選択された放送チャンネルに対応するオーディオ（Ａｕｄｉｏ）及びビデオ（Ｖｉｄｅｏ）チャンネルのデータがそれぞれ前記チャンネル復号器１３０内の該当ビットデインターリーバー、ビタビ復号器、バイトデインターリーバー、リードソロモン復号器を通じてＤＭＢ放送送信側で前進型誤信号訂正符号化された順序の逆順にチャンネル復号化される。
【００１２】
ところが、従来の場合、初期ブーチング時又は放送チャンネルが変更される場合、チャンネル復号器１３０内のビットデインターリーバー（Ｂｉｔ  Ｄｅｉｎｔｅｒｌｅａｖｅｒ）で約３〜４秒、チャンネル復号器１３０内の残り部分で約１〜２秒、映像復号器１４０で約１〜２秒程度かかり、およそ平均７〜８秒程度の放送チャンネル変更のための時間が必要であった。もし、１２チャンネルを使用者が検索したら、およそ８４秒程度が必要となる。
【００１３】
したがって、本発明者は、ＤＭＢ放送チャンネル変更の時に必要な時間が一番長いビットデインターリーバー（Ｂｉｔ  Ｄｅｉｎｔｅｒｌｅａｖｅｒ）での所要時間を減らすことで、ＤＭＢ放送チャンネル変更時間を短縮させることができる技術に対して研究することになった。
【発明の開示】
【発明が解決しようとする課題】
【００１４】
本発明は前記のような趣旨でなされたもので、ＤＭＢ放送チャンネル変更時にかかる時間のうち、一番長い時間がかかるビットデインターリービング（Ｂｉｔ  Ｄｅｉｎｔｅｒｌｅａｖｉｎｇ）過程の所要時間を減らしてＤＭＢ放送チャンネル変更時間を短縮させることができる、チャンネル変更時間を短縮させたＤＭＢ受信装置を提供することをその目的とする。
【課題を解決するための手段】
【００１５】
前記目的を達成するため、本発明の一様態によれば、チャンネルに独立的なＰＮコード（Ｐｓｅｕｄｏ  ｒａｎｄｏｍ  Ｎｏｉｓｅ  Ｃｏｄｅ）の処理はビットデインターリービング（Ｂｉｔ  Ｄｅｉｎｔｅｒｌｅａｖｉｎｇ）実行前に実行し、順方向リンクでチャンネルを区分する識別字機能を担当するウォルシュコード（Ｗａｌｓｈ  Ｃｏｄｅ）の処理はビットデインターリービング（Ｂｉｔ  Ｄｅｉｎｔｅｒｌｅａｖｉｎｇ）を実行した後に実行することを特徴とする、チャンネル変更時間を短縮させたＤＭＢ受信装置を提供する。
【００１６】
したがって、本発明は、放送チャンネル変更の時、チャンネルに独立的なＰＮコード（Ｐｓｅｕｄｏ  ｒａｎｄｏｍ  Ｎｏｉｓｅ  Ｃｏｄｅ）に対する再処理が不要であり、順方向リンクでチャンネルを区分する識別字機能を担当するウォルシュコード（Ｗａｌｓｈ  Ｃｏｄｅ）に対する処理だけ行って、ビットデインターリービング（Ｂｉｔ  Ｄｅｉｎｔｅｒｌｅａｖｉｎｇ）の実行時のビットレート（Ｂｉｔ  Ｒａｔｅ）を低めることにより、ＤＭＢ放送チャンネル変更時間を短縮させることができることになる。
【発明の効果】
【００１７】
以上説明したような本発明によるチャンネル変更時間を短縮させたＤＭＢ受信装置は、放送チャンネル変更の時、チャンネルに独立的なＰＮコード（Ｐｓｅｕｄｏ  ｒａｎｄｏｍ  Ｎｏｉｓｅ  Ｃｏｄｅ）に対する再処理が不要であり、順方向リンクでチャンネルを区分する識別字機能を担当するウォルシュコード（Ｗａｌｓｈ  Ｃｏｄｅ）に対する処理だけ行うようにして、ビットデインターリービング（Ｂｉｔ  Ｄｅｉｎｔｅｒｌｅａｖｉｎｇ）実行時のビットレート（Ｂｉｔ  Ｒａｔｅ）を低めることで、ＤＭＢ放送チャンネル変更時間を短縮させることができる有用な効果を持つ。
【発明を実施するための最良の形態】
【００１８】
以下、添付図面に基づいて、本発明の好適な実施例について、本発明を当業者が容易に理解して再現し得るように詳細に説明する。
【００１９】
図２は本発明によるチャンネル変更時間を短縮させたＤＭＢ受信装置の一実施例によるブロック図である。
【００２０】
本発明によるチャンネル変更時間を短縮させたＤＭＢ受信装置は、チャンネルに独立的なＰＮコード（Ｐｓｅｕｄｏ  ｒａｎｄｏｍ  Ｎｏｉｓｅ  Ｃｏｄｅ）の処理はビットデインターリービング（Ｂｉｔ  Ｄｅｉｎｔｅｒｌｅａｖｉｎｇ）実行前に実行し、順方向リンクでチャンネルを区分する識別字機能を担当するウォルシュコード（Ｗａｌｓｈ  Ｃｏｄｅ）の処理はビットデインターリービング（Ｂｉｔ  Ｄｅｉｎｔｅｒｌｅａｖｉｎｇ）を実行した後に行うように具現することにより、放送チャンネル変更の時、チャンネルに独立的なＰＮコード（Ｐｓｅｕｄｏ  ｒａｎｄｏｍ  Ｎｏｉｓｅ  Ｃｏｄｅ）に対する再処理が不要であり、順方向リンクでチャンネルを区分する識別字機能を担当するウォルシュコード（Ｗａｌｓｈ  Ｃｏｄｅ）に対する処理だけ行って、ビットデインターリービング（Ｂｉｔ  Ｄｅｉｎｔｅｒｌｅａｖｉｎｇ）実行時のビットレート（Ｂｉｔ  Ｒａｔｅ）を低めることにより、ＤＭＢ放送チャンネル変更時間を短縮させるようにすることを技術的要旨にする。
【００２１】
具体的に、本発明によるチャンネル変更時間を短縮させたＤＭＢ受信装置２００は、チューナー（Ｔｕｎｎｅｒ）２１０と、ＣＤＭ復調器（Ｄｅｍｏｄｕｌａｔｏｒ）２２０と、チャンネル復号器（Ｃｈａｎｎｅｌ  Ｄｅｃｏｄｅｒ）２３０と、映像復号器（Ｐｉｃｔｕｒｅ  Ｄｅｃｏｄｅｒ）２４０とを含む。
【００２２】
前記チューナー２１０は、アンテナを通じて受信したＤＭＢ（Ｄｉｇｉｔａｌ  Ｍｕｌｔｉｍｅｄｉａ  Ｂｒｏａｄｃａｔｉｎｇ）周波数帯域の信号を基底帯域（Ｂａｓｅｂａｎｄ）信号に変換する。
【００２３】
ＤＭＢ放送送信側で放送データをリードソロモン符号化（Ｒｅｅｄ−Ｓｏｌｏｍｏｎ  Ｃｏｄｉｎｇ）し、バイトインターリービング（Ｂｙｔｅ  Ｉｎｔｅｒｌｅａｖｉｎｇ）処理し、ビタビ符号化（Ｖｉｔｅｒｂｉ  Ｃｏｄｉｎｇ）し、ビットインターリービング（Ｂｉｔ  Ｉｎｔｅｒｌｅａｖｉｎｇ）処理して前進型誤信号訂正符号化し、この前進型誤信号訂正符号化された信号にウォルシュコード（Ｗａｌｓｈ  Ｃｏｄｅ）とＰＮコード（Ｐｓｅｕｄｏ  ｒａｎｄｏｍ  Ｎｏｉｓｅ  Ｃｏｄｅ）を掛け、拡散変造（Ｍｏｄｕｌａｔｉｏｎ）して伝送する。
【００２４】
すると、本発明によるチャンネル変更時間を短縮させたＤＭＢ受信装置２００は、アンテナを通じてＤＭＢ（Ｄｉｇｉｔａｌ  Ｍｕｌｔｉｍｅｄｉａ  Ｂｒｏａｄｃａｔｉｎｇ）周波数帯域の信号を受信し、前記チューナー２１０を通じてこれを基底帯域（Ｂａｓｅｂａｎｄ）信号に変換する。
【００２５】
一方、前記リードソロモン符号化（Ｒｅｅｄ−Ｓｏｌｏｍｏｎ  Ｃｏｄｉｎｇ）、バイトインターリービング（Ｂｙｔｅ  Ｉｎｔｅｒｌｅａｖｉｎｇ）、ビタビ符号化（Ｖｉｔｅｒｂｉ  Ｃｏｄｉｎｇ）及びビットインターリービング（Ｂｉｔ  Ｉｎｔｅｒｌｅａｖｉｎｇ）を含む前進型誤信号訂正符号化技術、及び前進型誤信号訂正符号化された信号にウォルシュコード（Ｗａｌｓｈ  Ｃｏｄｅ）とＰＮコード（Ｐｓｅｕｄｏ  ｒａｎｄｏｍ  Ｎｏｉｓｅ  Ｃｏｄｅ）を掛けて拡散変造（Ｍｏｄｕｌａｔｉｏｎ）する技術はこの出願以前に既に多様に公知されて施行される通常の技術であるので、これについての詳細な説明は省略する。
【００２６】
前記ＣＤＭ復調器２２０は、前記チューナー２１０によって基底帯域信号に変換された拡散変造（Ｍｏｄｕｌａｔｉｏｎ）された信号を復調（Ｄｅｍｏｄｕｌａｔｉｏｎ）し、チャンネルに独立的なＰＮコード（Ｐｓｅｕｄｏ  ｒａｎｄｏｍ  Ｎｏｉｓｅ  Ｃｏｄｅ）を前記復調された信号に掛ける。
【００２７】
すなわち、前記チューナー２１０によってＤＭＢ（Ｄｉｇｉｔａｌ  Ｍｕｌｔｉｍｅｄｉａ  Ｂｒｏａｄｃａｔｉｎｇ）周波数帯域信号が基底帯域信号に変換されれば、本発明によるチャンネル変更時間を短縮させたＤＭＢ受信装置２００は、前記ＣＤＭ復調器２２０を通じて、これを復調（Ｄｅｍｏｄｕｌａｔｉｏｎ）する。
【００２８】
その後、この復調された信号に、チャンネルに独立的なＰＮコード（Ｐｓｅｕｄｏ  ｒａｎｄｏｍ  Ｎｏｉｓｅ  Ｃｏｄｅ）を掛ける。この過程までは、すべての放送信号に対して同一処理が行われることになる。
【００２９】
したがって、従来のＤＭＢ受信装置は、ＤＭＢ復調器でチャンネルに独立的なＰＮコード（Ｐｓｅｕｄｏ  ｒａｎｄｏｍ  Ｎｏｉｓｅ  Ｃｏｄｅ）とチャンネルに独立的でないウォルシュコード（Ｗａｌｓｈ  Ｃｏｄｅ）の処理を共に実行したが、本発明の場合、ＤＭＢ復調器２２０がチャンネルに独立的なＰＮコード（Ｐｓｅｕｄｏ  ｒａｎｄｏｍ  Ｎｏｉｓｅ  Ｃｏｄｅ）に対する処理だけ実行するという点で特異性がある。
【００３０】
前記チャンネル復号器２３０は、前記ＣＤＭ復調器２２０によってＰＮコードが掛けられた信号に対するビットデインターリービング（Ｂｉｔ  Ｄｅｉｎｔｅｒｌｅａｖｉｎｇ）を実行した後、この信号に、順方向リンクでチャンネルを区分する識別字機能を担当するウォルシュコード（Ｗａｌｓｈ  Ｃｏｄｅ）を掛けてから積分して選択された放送チャンネルに対するチャンネルデータを抽出し、抽出されたチャンネルデータに対する前進型誤信号訂正（ＦＥＣ：Ｆｏｒｗａｒｄ  Ｅｒｒｏｒ  Ｃｏｒｒｅｃｔｉｏｎ）を処理する。
【００３１】
すなわち、前記ＣＤＭ復調器２２０によって復調された信号に、チャンネルに独立的なＰＮコードが掛けられれば、本発明によるチャンネル変更時間を短縮させたＤＭＢ受信装置２００は、前記チャンネル復号器２３０を通じて前記ＰＮコードが掛けられた信号に対するビットデインターリービング（Ｂｉｔ  Ｄｅｉｎｔｅｒｌｅａｖｉｎｇ）を実行する。
【００３２】
ビットデインターリービング（Ｂｉｔ  Ｄｅｉｎｔｅｒｌｅａｖｉｎｇ）の実行が完了すれば、この信号に、順方向リンクでチャンネルを区分する識別字機能を担当するウォルシュコード（Ｗａｌｓｈ  Ｃｏｄｅ）を掛けて積分して放送チャンネルを選択し、該当放送チャンネルデータに対する前進型誤信号訂正（ＦＥＣ：Ｆｏｒｗａｒｄ  Ｅｒｒｏｒ  Ｃｏｒｒｅｃｔｉｏｎ）を実行する。
【００３３】
したがって、本発明によるチャンネル変更時間を短縮させたＤＭＢ受信装置２００は、チャンネルに独立的なＰＮコード（Ｐｓｅｕｄｏ  ｒａｎｄｏｍ  Ｎｏｉｓｅ  Ｃｏｄｅ）の処理は、ビットデインターリービング（Ｂｉｔ  Ｄｅｉｎｔｅｒｌｅａｖｉｎｇ）実行前にＣＤＭ復調器２２０で行い、順方向リンクでチャンネルを区分する識別字機能を担当するウォルシュコード（Ｗａｌｓｈ  Ｃｏｄｅ）の処理は、ビットデインターリービング（Ｂｉｔ  Ｄｅｉｎｔｅｒｌｅａｖｉｎｇ）を実行した後、前記チャンネル復号器２３０で実行して、ＤＭＢチャンネル変更の時、一番時間が長くかかるビットデインターリービング（Ｂｉｔ  Ｄｅｉｎｔｅｒｌｅａｖｉｎｇ）実行時のビットレート（Ｂｉｔ  Ｒａｔｅ）を低めることにより、ＤＭＢ放送チャンネル変更時間を短縮させることができることになる。
【００３４】
すなわち、従来のＤＭＢ受信装置の場合、順方向リンクでチャンネルを区分する識別字機能を担当するウォルシュコード（Ｗａｌｓｈ  Ｃｏｄｅ）の処理がＣＤＭ復調器によって実行されるが、本発明の場合、チャンネル復号器２３０で実行されるので、ビットデインターリービング（Ｂｉｔ  Ｄｅｉｎｔｅｒｌｅａｖｉｎｇ）の実行前後に、チャンネルに独立的なＰＮコード（Ｐｓｅｕｄｏ  ｒａｎｄｏｍ  Ｎｏｉｓｅ  Ｃｏｄｅ）の処理と、順方向リンクでチャンネルを区分する識別字機能を担当するウォルシュコード（Ｗａｌｓｈ  Ｃｏｄｅ）の処理とに分けられて行われることに技術的特異性がある。
【００３５】
前記映像復号器２４０は、前記チャンネル復号器２３０によって前進型誤信号訂正された放送チャンネルデータに対する映像復号化を実行する。
【００３６】
前記チャンネル復号器２３０によって放送チャンネルデータの前進型誤信号訂正（ＦＥＣ：Ｆｏｒｗａｒｄ  Ｅｒｒｏｒ  Ｃｏｒｒｅｃｔｉｏｎ）過程が終了すれば、本発明によるチャンネル変更時間を短縮させたＤＭＢ受信装置２００は、前記映像復号器２４０によって前進型誤信号訂正された放送チャンネルデータに対する映像復号化を行って放送画面をディスプレイ装置（図示せず）に表示し、音声をスピーカー装置（図示せず）に出力することで放送を実行する。
【００３７】
すなわち、前記チャンネル復号器２３０は、ＤＭＢ放送送信側で放送データ伝送の時、ビデオデータとオーディオデータが映像符号化されて伝送されるので、これに対する復号化過程を行う役目をする。
【００３８】
この時、前記チャンネル復号器２３０と映像復号器２４０との間には、前記チャンネル復号器２３０から出力される信号を逆多重化（Ｄｅｍｕｌｔｉｐｌｅｘｉｎｇ）してパケット（Ｐａｃｋｅｔ）組立して映像復号器２４０に出力する逆多重化器（Ｄｅｍｕｌｔｉｐｌｅｘｅｒ）（図示せず）がさらに含まれてもよい。
【００３９】
前記前進型誤信号訂正（ＦＥＣ：Ｆｏｒｗａｒｄ  Ｅｒｒｏｒ  Ｃｏｒｒｅｃｔｉｏｎ）復号化過程は前記前進型誤信号訂正符号化過程の逆順に進行され、この出願以前にもう多様に公知されて施行される通常の技術であるので、その詳細な説明は省略する。
【００４０】
したがって、本発明によるチャンネル変更時間を短縮させたＤＭＢ受信装置２００は、チャンネルに独立的なＰＮコード（Ｐｓｅｕｄｏ  ｒａｎｄｏｍ  Ｎｏｉｓｅ  Ｃｏｄｅ）の処理はビットデインターリービング（Ｂｉｔ  Ｄｅｉｎｔｅｒｌｅａｖｉｎｇ）の実行前にＣＤＭ復調器２２０で実行し、順方向リンクでチャンネルを区分する識別字機能を担当するウォルシュコード（Ｗａｌｓｈ  Ｃｏｄｅ）の処理はビットデインターリービング（Ｂｉｔ  Ｄｅｉｎｔｅｒｌｅａｖｉｎｇ）を実行した後、前記チャンネル復号器２３０で実行することで、ＤＭＢチャンネル変更の時、一番時間が長くかかるビットデインターリービング（Ｂｉｔ  Ｄｅｉｎｔｅｒｌｅａｖｉｎｇ）の実行時のビットレート（Ｂｉｔ  Ｒａｔｅ）を低めることにより、ＤＭＢ放送チャンネル変更時間を短縮させることができることになる。
【００４１】
具体的に、本発明によるチャンネル変更時間を短縮させたＤＭＢ受信装置２００のチャンネル復号器２３０は、ビットデインターリーバー（Ｂｉｔ  Ｄｅｉｎｔｅｒｌｅａｖｅｒ）２３１と、乗算器２３２と、積分器２３３と、ビタビ復号器（Ｖｉｔｅｒｂｉ  Ｄｅｃｏｄｅｒ）２３４と、バイトデインターリーバー（Ｂｙｔｅ  Ｄｅｉｎｔｅｒｌｅａｖｅｒ）２３５と、リードソロモン復号器（Ｒｅｅｄ−Ｓｏｌｏｍｏｎ  Ｄｅｃｏｄｅｒ）２３６とを含む。
【００４２】
前記ビットデインターリーバー２３１は、前記ＣＤＭ復調器２２０によってＰＮコードが掛けられた信号に対するビットデインターリービング（Ｂｉｔ  Ｄｅｉｎｔｅｒｌｅａｖｉｎｇ）を実行する。
【００４３】
従来の場合、ビットデインターリービング（Ｂｉｔ  Ｄｅｉｎｔｅｒｌｅａｖｉｎｇ）の実行前に、ＣＤＭ復調器でチャンネルに独立的なＰＮコード処理と順方向リンクでチャンネルを区分する識別字機能を担当する（チャンネルに独立的でない）ウォルシュコード（Ｗａｌｓｈ  Ｃｏｄｅ）処理を共に実行したデータがビットデインターリーバーに入力される。そのため、チャンネル変更の時、ビットデインターリーバーに入力されるデータを再伝送させて受けなければならず、入力されるデータはビットレート（Ｂｉｔ  Ｒａｔｅ）も大きかったから、チャンネル変更時にかかる時間が長かった。
【００４４】
また、従来の場合、ウォルシュコード（Ｗａｌｓｈ  Ｃｏｄｅ）によって識別されるチャンネル数だけの多数のハードウェア形態（シフトレジスターなど）のビットデインターリーバー２３１が必要であったので、嵩が大きくなって複雑になる問題があった。
【００４５】
しかし、本発明で採用されるビットデインターリーバー２３１は、前記ＣＤＭ復調器２２０によってＰＮコードが掛けられた信号、すなわちチャンネル選択及び変更に関係ないチャンネルに無関係な信号に対するビットデインターリービング（Ｂｉｔ  Ｄｅｉｎｔｅｒｌｅａｖｉｎｇ）処理を実行する。そのため、チャンネル変更の時、ビットデインターリーバー２３１に入力されるデータを再伝送させて受ける必要がないので、チャンネル変更の時、時間が要らない。
【００４６】
一方、本発明で採用されるビットデインターリーバー２３１は、チャンネル選択及び変更に関係ないチャンネルに無関係な信号であるＰＮコードが掛けられた信号に対するビットデインターリービング（Ｂｉｔ  Ｄｅｉｎｔｅｒｌｅａｖｉｎｇ）処理を実行し、ＰＮコードは６４ビート（８バイト）体系であるので、８バイト（Ｂｙｔｅ）単位でビットデインターリービング（Ｂｉｔ  Ｄｅｉｎｔｅｒｌｅａｖｉｎｇ）を実行することができる。
【００４７】
したがって、バッファー（Ｂｕｆｆｅｒ）を割り当て、ＤＭＢ放送送信側で実行したビットインターリービング（Ｂｉｔ  Ｉｎｔｅｒｌｅａｖｉｎｇ）に対応するビットデインターリービング（Ｂｉｔ  Ｄｅｉｎｔｅｒｌｅａｖｉｎｇ）を行って前記バッファー（Ｂｕｆｆｅｒ）にデータを記録して処理することにより、従来のハードウェア的な構成とは異なり、ソフトウェア的に具現することができるので、ハードウェアの追加によって嵩が大きくなり複雑になる問題と費用上昇の問題を解決することができる利点を持つ。
【００４８】
前記ビットデインターリービング（Ｂｉｔ  Ｄｅｉｎｔｅｒｌｅａｖｉｎｇ）技術は、この出願以前に既に多様に公知されて施行される通常の技術であるので、これについての詳細な説明は省略する。
【００４９】
前記乗算器２３２は、前記ビットデインターリーバー２３１によってビットデインターリービング（Ｂｉｔ  Ｄｅｉｎｔｅｒｌｅａｖｉｎｇ）処理された信号に、順方向リンクでチャンネルを区分する識別字機能を担当するウォルシュコード（Ｗａｌｓｈ  Ｃｏｄｅ）を掛ける。
【００５０】
前記積分器２３３は、前記乗算器２３２によって処理された信号を積分して、選択された放送チャンネルに対するチャンネルデータを抽出する。
【００５１】
すなわち、ＣＤＭＡ方式のデータ送受信原理は、送信側でデータにウォルシュコードとＰＮコードを掛けて拡散し、拡散されたデータを合成して伝送すれば、これを受信する受信側では、合成された信号にＰＮコードとウォルシュコードを掛けてから積分して、元のデータを得るという方式である。
【００５２】
本発明によるチャンネル変更時間を短縮させたＤＭＢ受信装置２００は、放送信号にチャンネルに独立的なＰＮコード（Ｐｓｅｕｄｏ  ｒａｎｄｏｍ  Ｎｏｉｓｅ  Ｃｏｄｅ）を掛ける処理は前記ＣＤＭ復調器２２０で実行し、放送信号に順方向リンクでチャンネルを区分する識別字機能を担当するウォルシュコード（Ｗａｌｓｈ  Ｃｏｄｅ）を掛ける処理は前記チャンネル復号器２３０の乗算器２３２で実行し、前記積分器２３３によって、前記乗算器２３２によって処理された信号を積分して元の放送信号を得、選択された放送チャンネルに対するチャンネルデータを抽出する。
【００５３】
前記ビタビ復号器２３４は、前記積分器２３０によって抽出された放送チャンネルデータに対するビタビ復号化（Ｖｉｔｅｒｂｉ  Ｄｅｃｏｄｉｎｇ）を実行する。
【００５４】
前記バイトデインターリーバー２３５は、前記ビタビ復号器２３４によってビタビ復号化された放送チャンネルデータに対するバイトデインターリービング（Ｂｙｔｅ  Ｄｅｉｎｔｅｒｌｅａｖｉｎｇ）を実行する。
【００５５】
前記リードソロモン復号器（Ｒｅｅｄ−Ｓｏｌｏｍｏｎ  Ｄｅｃｏｄｅｒ）２３６は、前記バイトデインターリーバー２３５によってバイトデインターリービング処理された放送チャンネルデータに対するリードソロモン復号化（Ｒｅｅｄ−Ｓｏｌｏｍｏｎ  Ｄｅｃｏｄｉｎｇ）を実行する。
【００５６】
すなわち、前記積分器によってＤＭＢ放送送信側で混合されて伝送された信号が分離されるので、前記ビタビ復号器２３４と、バイトデインターリーバー２３５と、リードソロモン復号器２３６はウォルシュコード（Ｗａｌｓｈ  Ｃｏｄｅ）によって識別されるチャンネル数だけの多数のハードウェア形態に構成される。これは、従来のチャンネル復号機内のビタビ復号器と、バイトデインターリーバーと、リードソロモン復号器とその構成及び役目が同一である。前記ビタビ復号器２３４と、バイトデインターリーバー２３５と、リードソロモン復号器２３６とはこの出願以前に既に多様に公知されて行われる通常の技術であるので、これについての詳細な説明は省略する。
【００５７】
したがって、本発明によるチャンネル変更時間を短縮させたＤＭＢ受信装置２００は、ＣＤＭ復調器２２０でチャンネルに独立的なＰＮコード（Ｐｓｅｕｄｏ  ｒａｎｄｏｍ  Ｎｏｉｓｅ  Ｃｏｄｅ）を混合された放送信号に掛け、チャンネル復号器２３０のビットデインターリーバー２３１がこの信号に対してビットデインターリービング（Ｂｉｔ  Ｄｅｉｎｔｅｒｌｅａｖｉｎｇ）を実行し、ビットデインターリービング（Ｂｉｔ  Ｄｅｉｎｔｅｒｌｅａｖｉｎｇ）が実行された後、チャンネル復号器２３０の乗算器２３２で順方向リンクでチャンネルを区分する識別字機能を担当するウォルシュコード（Ｗａｌｓｈ  Ｃｏｄｅ）が掛けられ、積分器２３３によって元の放送信号が得られ、この後、選択された放送チャンネルのデータがビタビ復号器２３４と、バイトデインターリーバー２３５と、リードソロモン復号器２３６とによって前進型誤信号訂正（ＦＥＣ：Ｆｏｒｗａｒｄ  Ｅｒｒｏｒ  Ｃｏｒｒｅｃｔｉｏｎ）処理する動作を行う。
【００５８】
したがって、本発明によるチャンネル変更時間を短縮させたＤＭＢ受信装置は、チャンネルに独立的なＰＮコード（Ｐｓｅｕｄｏ  ｒａｎｄｏｍ  Ｎｏｉｓｅ  Ｃｏｄｅ）の処理はビットデインターリービング（Ｂｉｔ  Ｄｅｉｎｔｅｒｌｅａｖｉｎｇ）実行前にＣＤＭ復調器で実行し、順方向リンクでチャンネルを区分する識別字機能を担当するウォルシュコード（Ｗａｌｓｈ  Ｃｏｄｅ）の処理はビットデインターリービング（Ｂｉｔ  Ｄｅｉｎｔｅｒｌｅａｖｉｎｇ）を実行した後に前記チャンネル復号器で実行して、ＤＭＢチャンネル変更の時、一番時間が長くかかるビットデインターリービング（Ｂｉｔ  Ｄｅｉｎｔｅｒｌｅａｖｉｎｇ）実行時のビットレート（Ｂｉｔ  Ｒａｔｅ）を低めることにより、ＤＭＢ放送チャンネル変更時間を短縮させることができることになるので、前記で提示した本発明の目的を達成することができることになる。
【００５９】
以上、本発明を添付図面に示す好適な実施例に基づいて説明したが、このような記載から、特許請求範囲によって決められる範囲内で、本発明の範疇を逸脱しないで多様に変形することができるであろう。
【産業上の利用可能性】
【００６０】
本発明は、ＤＭＢ放送チャンネル変更時にかかる時間のうち、一番長い時間がかかるビットデインターリービング（Ｂｉｔ  Ｄｅｉｎｔｅｒｌｅａｖｉｎｇ）過程の所要時間を減らしてＤＭＢ放送チャンネル変更時間を短縮させるＤＭＢ受信装置に適用可能である。
【図面の簡単な説明】
【００６１】
【図１】従来のＤＭＢ受信装置の一例を示すブロック図である。
【図２】本発明によるチャンネル変更時間を短縮させたＤＭＢ受信装置の一実施例によるブロック図である。
【符号の説明】
【００６２】
１００、２００    ＤＭＢ受信装置
１１０、２１０    チューナー
１２０、２２０    ＣＤＭ復調器
１３０、２３０    チャンネル復号器
１４０、２４０    映像復号器
２３１    ビットデインターリーバー
２３２    乗算器
２３３    積分器
２３４    ビタビ復号器
２３５    バイトデインターリーバー
２３６    リードソロモン復号器
【図１】
2007166586.tif 000003
【図２】
2007166586.tif 000004